(57)【要約】      （修正有）【課題】太陽電池パネルの両縁部を同じ支持具により支持できる支持具を提供する。【解決手段】取付面に互いに間隔を空けて配設される複数の畝状の支持物３０２に取り付けられ、支持物の畝によって区画される一方側と他方側とに配設される太陽電池パネル１０１ａ、１０１ｂの縁部を支持する支持具２１、５１とする。さらに、支持物に取り付けられる基礎部２２〜２４と、一方側に配設される太陽電池パネルである一方側太陽電池パネルの縁部を支持する一方側支持部（溝５７）と、他方側に配設される太陽電池パネルである他方側太陽電池パネルの縁部を、一方側支持部が支持する一方側太陽電池パネルの縁部よりも取付面に近い位置で支持する他方側支持部と、を備えてなる。【選択図】図６
0003180442.tif 000002
【実用新案登録請求の範囲】
【請求項１】
取付面に互いに間隔を空けて配設される複数の畝状の支持物に取り付けられ、支持物の畝によって区画される一方側と他方側とに配設される太陽電池パネルの縁部を支持する支持具であって、
支持物に取り付けられる基礎部と、
一方側に配設される太陽電池パネルである一方側太陽電池パネルの縁部を支持する一方側支持部と、
他方側に配設される太陽電池パネルである他方側太陽電池パネルの縁部を、一方側支持部が支持する一方側太陽電池パネルの縁部よりも取付面に近い位置で支持する他方側支持部と、
を備えてなる、支持具。
【請求項２】
基礎部が、支持物の他方側に面する他方側部を有し、
他方側支持部が、他方側部の取付面側の縁部に設けられ、他方側太陽電池パネルの取付面側の外面に当接し支持するものである、請求項１に記載の支持具。
【請求項３】
一方側支持部が、一方側太陽電池パネルの縁部が係合可能な、取付面に対して支持物よりも遠方に形成された溝部を有するものである、請求項１又は２に記載の支持具。
【請求項４】
一方側支持部を有する第１部材と、基礎部と他方側支持部とを有する第２部材と、を別体として備えるものである、請求項１乃至３のいずれか１に記載の支持具。
【請求項５】
基礎部が、支持物の一方側に面する一方側部と、支持物の他方側に面する他方側部と、を有し、
第２部材が、一枚の板状部材が折り曲げられることで、一方側部と他方側部と他方側支持部とが形成されるものである、請求項４に記載の支持具。
【請求項６】
第２部材は、一方側部と他方側部とが互いに略平行に形成され、一方側部と他方側部とを連結し一方側部と他方側部とに略垂直に形成される連結部を有するものである、請求項５に記載の支持具。
【請求項７】
一方側支持部が、一方側太陽電池パネルの縁部が係合可能な、取付面に対して支持物よりも遠方に形成された溝部を有するものであり、
第１部材が、一枚の板状部材が折り曲げられることで該溝部が形成されるものである、請求項４乃至６のいずれか１に記載の支持具。
【請求項８】
第１部材は、一方側太陽電池パネルの取付面側の外面に当接する一方側太陽電池パネル裏面当接部が前記溝部に連なるように形成されるものである、請求項７に記載の支持具。
【請求項９】
第１部材と、第２部材と、を含んでなる、請求項４乃至８のいずれか１に記載の支持具の作成キット。
【考案の詳細な説明】
【技術分野】
【０００１】
本考案は、太陽電池パネルの支持具に関し、より詳細には、畝状の支持物に取り付けられ太陽電池パネルの縁部を支持する支持具に関する。
【背景技術】
【０００２】
畝状の支持物に取り付けられて太陽電池パネルの縁部を支持する支持具はこれまで種々のものが提案されてきた（例えば、特許文献１参照）。
特許文献１には、「太陽電池パネルを太陽電池パネル支持構造体から着脱自在にしかつ汎用ブロックをしっかり固定する支持金具を提供する」（特許文献１、考案の詳細な説明中、段落番号０００７）ためになされたもので、具体的には「太陽電池パネルを所定の傾斜角で支持する太陽電池パネル支持構造体において、太陽電池パネルを支持するとともにコンクリートブロックを嵌合しかつ挟持する支持金具であって、前記太陽電池パネルの一端の外枠を支持するために、前記所定の傾斜角で傾斜する支持板と、前記支持板の低端部から下方に延出し、延出した側部において前記コンクリートブロックに対向して延伸させた突出部で前記コンクリートブロックを挟持する第１の挟持板と、前記支持板の高端部から下方に延出し、延出した側部において前記コンクリートブロックに対向して延伸させた突出部で前記コンクリートブロックを挟持する第２の挟持板と、を備え、前記第１の挟持板の突出部と前記第２の挟持板の突出部とが前記コンクリートブロックを挟持することを特徴とする太陽電池パネル支持構造体の支持金具」（特許文献１、請求項１）が開示されている。かかる「支持金具によれば、太陽電池パネルが着脱自在であるため、取付施工が容易となる。・・・・支持金具の寸法は、汎用コンクリートブロックの規格の幅寸法に合わせるだけでよいため、材料費用及び設置費用が大幅に安価とすることができる。・・・・構造が簡単であるため、設置、移設または撤去が容易となる。ひいては、設計期間の短縮を図ることが可能になる。・・・・太陽電池パネル構造体によれば、太陽電池パネルの長手方向の長さや傾斜角に基づいて支持部材間の距離を調整することで、種々の長さ及び／又は幅の太陽電池パネルの設置に対応することができる。」（特許文献１、考案の詳細な説明中、段落番号００１１〜００１４）というものである。
【先行技術文献】
【特許文献】
【０００３】
【特許文献１】実用新案登録第３１７３６０１号公報（例えば、要約、段落番号０００１〜００１４、００２５〜００２８、第１図〜第６図等）
【考案の概要】
【考案が解決しようとする課題】
【０００４】
このような特許文献１に開示されたような支持金具（本考案にいう支持具）は、太陽電池パネルを太陽電池パネル支持構造体から着脱自在にしかつ汎用ブロック（本考案にいう支持物）をしっかり固定することができるが、太陽電池パネル構造体１において太陽電池パネルを支持するためには支持金具１０（太陽電池パネルの上縁側を支持する）及び別の支持金具２０（太陽電池パネルの下縁側を支持する）との異なる２種類の金具を要する（例えば、特許文献１、考案の詳細な説明中、段落番号００２５〜００２８、第６図等）。
このように特許文献１に開示の技術においては、太陽電池パネルの上縁側と下縁側とを支持する支持具に異なるものを要するので、太陽電池パネル構造体を構成する物の種類を増加させることで工事を行う際の物品管理を煩雑にするし、工事作業も複雑になる。
そこで、本考案では、太陽電池パネルの両縁部を同じ支持具により支持できる支持具を提供することを目的とする。
【課題を解決するための手段】
【０００５】
本考案の支持具（以下、「本支持具」という。）は、取付面に互いに間隔を空けて配設される複数の畝状の支持物に取り付けられ、支持物の畝によって区画される一方側と他方側とに配設される太陽電池パネルの縁部を支持する支持具であって、支持物に取り付けられる基礎部と、一方側に配設される太陽電池パネルである一方側太陽電池パネルの縁部を支持する一方側支持部と、他方側に配設される太陽電池パネルである他方側太陽電池パネルの縁部を、一方側支持部が支持する一方側太陽電池パネルの縁部よりも取付面に近い位置で支持する他方側支持部と、を備えてなる、支持具である。
本支持具は、取付面に互いに間隔を空けて配設される複数の畝状の支持物に取り付けられ、支持物の畝によって区画される一方側と他方側とに配設される太陽電池パネルの縁部を支持する支持具である。なお、ここの取付面とは、複数の畝状の支持物がそれに沿って配設される面であり、複数の畝状の支持物が設置及び固定される床面のように実際の面が存する場合のみならず、仮想上の平面の場合であってもよい。
本支持具は、基礎部と、一方側支持部と、他方側支持部と、を備えてなる。
基礎部は、支持ブロック、支持横棒、支持突条等のような畝状の支持物に取り付けられる。この畝状の支持物は互いに間隔を空けて複数が配設され、この畝状の支持物同士の間に本支持具を介して太陽電池パネルが支持される。
畝状の支持物に基礎部が取り付けられた本支持具の一方側支持部は、支持物の畝によって区画される両側（畝の長手方向に対して垂直な平面による断面において畝を挟んで一方側と他方側）のうち一方側に配設される太陽電池パネルである一方側太陽電池パネルの縁部を支持する。
畝状の支持物に基礎部が取り付けられた本支持具の他方側支持部は、支持物の畝によって区画される両側のうち他方側に配設される太陽電池パネルである他方側太陽電池パネルの縁部を支持する。
そして、他方側支持部により支持される他方側太陽電池パネルの縁部は、一方側支持部により支持される一方側太陽電池パネルの縁部よりも取付面に近い位置にて支持される。
この本支持具によれば、１の太陽電池パネルが、２の本支持具（該１の太陽電池パネルの両側に存する一対の支持物ａ、ｂそれぞれに２の本支持具Ａ、Ｂそれぞれが取り付けられる。支持物ａには本支持具Ａが取り付けられ、支持物ｂには本支持具Ｂが取り付けられる。）によって支持される。該１の太陽電池パネルは、その縁部が本支持具Ａの他方側支持部と本支持具Ｂの一方側支持部とにより支持されるので、取付面に対して傾斜した状態で支持される。この傾斜を利用して、太陽電池パネルの受光面を太陽光の照射方向に対して垂直に近い方向に向けた状態で太陽電池パネルを支持し、発電効率を上昇させることができる。そして、支持物ｂから見て支持物ａとは反対側に支持物ｃを配置し（例えば、支持物ａ、ｂ、ｃの畝が互いに等間隔かつ平行に配置する）、支持物ｃに本支持具Ｃを取り付けることで、支持物ａ、ｂ間に本支持具Ａ、Ｂを用いて太陽電池パネル（１）を支持させたように、支持物ｂ、ｃ間に本支持具Ｂ、Ｃを用いて太陽電池パネル（２）を支持させることができる（即ち、本支持具Ｂの一方側支持部は太陽電池パネル（１）の縁部を支持すると共に、本支持具Ｂの他方側支持部は太陽電池パネル（２）の縁部を支持する。）。このように本支持具は、取付面に対して傾斜した太陽電池パネルの両縁部（取付面に対して遠い一方側支持部により支持される縁部と、取付面に対して近い他方側支持部により支持される縁部と、の両縁方）を同じ支持具により支持することができる。
【０００６】
本支持具においては、基礎部が、支持物の他方側に面する他方側部を有し、他方側支持部が、他方側部の取付面側の端部に設けられ、他方側太陽電池パネルの取付面側の外面に当接し支持するものであってもよい。
こうすることで支持物の他方側に面する他方側部を基礎部が有すると共に、他方側部の取付面側の端部に設けられる他方側支持部が他方側太陽電池パネルの取付面側の外面に当接し支持するので、取付面に対して傾斜した太陽電池パネルの取付面に近い縁部を取付面に近い位置で確実に支持することができる。
【０００７】
本支持具においては、一方側支持部が、一方側太陽電池パネルの縁部が係合可能な、取付面に対して支持物よりも遠方に形成された溝部を有するものであってもよい。
こうすることで取付面から遠い方の一方側太陽電池パネルの縁部が、取付面に対して支持物よりも遠方に形成された溝部に係合（嵌合を含む）することで一方側支持部により支持されるので、取付面に対して傾斜した太陽電池パネルの取付面から遠い縁部を取付面に遠い位置で確実に支持することができる。
【０００８】
本支持具においては、一方側支持部を有する第１部材と、基礎部と他方側支持部とを有する第２部材と、を別体として備えるもの（以下、「別体本支持具」という。）であってもよい。
このように別体の両部材を備えることで、基礎部と他方側支持部とを有する第２部材を支持物に取り付け、他方側支持部により他方側太陽電池パネルの縁部を支持させることと、第１部材が有する一方側支持部により一方側太陽電池パネルの縁部を支持させること、とに関する作業や相対位置（支持物、他方側太陽電池パネルの縁部、一方側太陽電池パネルの縁部の相対位置）の自由度を上げることができるので、太陽電池パネルの設置工事を円滑に行うことができる。
【０００９】
別体本支持具の場合、基礎部が、支持物の一方側に面する一方側部と、支持物の他方側に面する他方側部と、を有し、第２部材が、一枚の板状部材が折り曲げられることで、一方側部と他方側部と他方側支持部とが形成されるもの（以下、「折り曲げ第２部材本支持具」という。）であってもよい。
第２部材が、基礎部と他方側支持部とを有し、この基礎部が、支持物の一方側に面する一方側部と、支持物の他方側に面する他方側部と、を有する場合（即ち、第２部材が、一方側部と他方側部と他方側支持部とを有する場合）、一枚の板状部材（例えば、鋼板やアルミニウム板）を折り曲げて一方側部と他方側部と他方側支持部とを形成すれば、一方側部と他方側部と他方側支持部とを有する第２部材を容易かつ安価に形成できる。
【００１０】
折り曲げ第２部材本支持具の場合、第２部材は、一方側部と他方側部とが互いに略平行に形成され、一方側部と他方側部とを連結し一方側部と他方側部とに略垂直に形成される連結部を有するものであってもよい。
太陽電池パネルを取り付ける畝状の支持物としては、取付面に対して畝を形成するものを広く用いることができるが、例えば、畝に対して垂直な平面による断面形状が長方形（正方形を含む）、平行四辺形、三角形、円形、楕円形、半円形等のものを挙げることができるが、太陽電池パネルを取り付ける畝状の支持物として多用される支持ブロックは該断面形状が長方形（正方形を含む）である。
このような畝に対して垂直な平面による断面形状が長方形（正方形を含む）である支持物にうまく取り付けられる基礎部とするには、基礎部が該長方形の少なくとも３辺に沿った部分を有することが好ましい。このようにするには、一方側部と他方側部とが互いに略平行に形成されることで該長方形（正方形を含む）の互いに略平行な一対の辺に沿うと共に連結部が該一対の辺を結ぶ辺に沿うようにすることによってもよい。
【００１１】
別体本支持具の場合、一方側支持部が、一方側太陽電池パネルの縁部が係合可能な、取付面に対して支持物よりも遠方に形成された溝部を有するものであり、第１部材が、一枚の板状部材が折り曲げられることで該溝部が形成されるもの（以下、「折り曲げ第１部材本支持具」という。）であってもよい。
こうすることで取付面から遠い方の一方側太陽電池パネルの縁部が、取付面に対して支持物よりも遠方に形成された溝部に係合（嵌合を含む）することで一方側支持部により支持されるので、取付面に対して傾斜した太陽電池パネルの取付面から遠い縁部を取付面に遠い位置で確実に支持することができる。そして、一枚の板状部材（例えば、鋼板やアルミニウム板）が折り曲げられることで、該溝部を含む一方側支持部を有する第１部材が形成されるので、第１部材を容易かつ安価に構成できる。
【００１２】
折り曲げ第１部材本支持具の場合、第１部材は、一方側太陽電池パネルの取付面側の外面に当接する一方側太陽電池パネル裏面当接部が前記溝部に連なるように形成されるものであってもよい。
折り曲げ第１部材本支持具では、一枚の板状部材が折り曲げられることで第１部材が形成されるため、前記溝部に連なる平板部分を容易に形成できる。かかる平板部分は、一方側太陽電池パネルの両面のうち取付面側の外面に当接する一方側太陽電池パネル裏面当接部とすることができ、これにより一方側支持部の前記溝部に縁部が係合した一方側太陽電池パネルの取付面側の外面に一方側太陽電池パネル裏面当接部が当接することによって一方側太陽電池パネルを確実に支持することができる。
【００１３】
本考案は、別体本支持具を作成する作成キット（以下、「本キット」という。）も提供する。
即ち、本キットは、第１部材と、第２部材と、を含んでなる、別体本支持具の作成キットである。別体本支持具は第１部材と第２部材とが組み付けられた状態として製造や販売等がされてもよいが、基礎部と他方側支持部とを有する第２部材を支持物に取り付け、他方側支持部により他方側太陽電池パネルの縁部を支持させることと、第１部材が有する一方側支持部により一方側太陽電池パネルの縁部を支持させること、とに関する作業や相対位置（支持物、他方側太陽電池パネルの縁部、一方側太陽電池パネルの縁部の相対位置）の自由度を上げて太陽電池パネルの設置工事を円滑に行うことができるようにするには、第１部材と第２部材とが組み付けられていない状態の別体本支持具作成キット（本キット）として製造や販売等がされてもよい。かかる本キットに含まれる第１部材と第２部材とは太陽電池パネルの設置工事者により容易に組み付けて別体本支持具が形成できるように構成されることが好ましい。
【図面の簡単な説明】
【００１４】
【図１】本考案の一実施形態の支持具（本支持具）を示す平面図である。
【図２】図１の断面図（図２（ａ）は図１のＡ−Ａ断面図であり、図２（ｂ）は図１のＢ−Ｂ断面図である。）である。
【図３】本支持具を構成する下側部を示す図である。
【図４】本支持具を構成する上側部を示す図である。
【図５】本支持具によって太陽電池パネルを支持した構造を示す図である。
【図６】図５の点線Ｄにて囲まれた部分の一部拡大図である。
【図７】図６の矢印Ｅ方向から見たところを示す平面図である。
【図８】本支持具によって太陽電池パネルを支持した構造を形成する方法を示す図である。
【図９】本支持具によって太陽電池パネルを支持した構造を形成する方法を示す図である。
【図１０】本支持具によって太陽電池パネルを支持した構造を形成する方法を示す図である。
【考案を実施するための形態】
【００１５】
本考案の実施の形態を図面を参照して詳述するが、本考案はこれに限定されるものではない。
【００１６】
図１は、本考案の一実施形態の支持具（本支持具）１１を示す平面図であり、図２は図１の断面図（詳細には、図２（ａ）は図１のＡ−Ａ断面図であり、図２（ｂ）は図１のＢ−Ｂ断面図である。）であり、図３は本支持具１１を構成する下側部２１を示す図（詳細には、図３（ａ）は下側部２１の平面図であり、図３（ｂ）は図３（ａ）のＣ−Ｃ断面図である。）であり、そして図４は本支持具１１を構成する上側部５１を示す図（詳細には、図４（ａ）は上側部５１の平面図であり、図４（ｂ）は図４（ａ）のＤ−Ｄ断面図である。）である。図１乃至図４を参照して、本支持具１１について説明する。なお、ここでは代表的な例として、取付面（後述の設置面２０１）が水平な場合を示しており、この場合の鉛直上方向を図中では矢印Ｅ１として、そして鉛直下方向を図中では矢印Ｅ２として、それぞれ示したが、取付面（後述の設置面２０１）は水平でなくてもよい。
本支持具１１は、大まかには、太陽電池パネルを設置する設置面に配設される支持ブロック（いずれも不図示）に取り付けられる下側部２１と、下側部２１に取り付けられる上側部５１と、下側部２１と上側部５１とを固定する固定ネジ７１ａ、７１ｂと、を備えてなる。
【００１７】
下側部２１は、ステンレス鋼の板材（両主表面が略長方形）を折り曲げることで一体に形成されており、長手方向Ｌに対して垂直な平面による断面形状はいずれの位置においても同様である（即ち、いずれの断面位置においても図３（ｂ）に示されるような断面形状を有する。）。具体的には、下側部２１は、幅Ｗ１の上面２２ａを有する上面部２２と、上面部２２が有する一縁から上面部２２に対して垂直方向に突出するように形成された一方側面部２３（幅Ｗ２）と、上面部２２が有する他縁から上面部２２に対して垂直方向に突出するように形成された他方側面部２４（幅Ｗ３。なお、一方側面部２３と他方側面部２４とは、上面部２２から見て同方向に突出しており、一方側面部２３と他方側面部２４とは略平行になっている。）と、他方側面部２４の両縁のうち上面部２２に連なる方とは反対の縁から他方側面部２４に対して所定の角度Ｇ（ここでは具体的には、後述の斜面部５３と下方部２５とが略平行になる角度としている。即ち、角度Ｇ＝（９０−Ｍ）度であり、後述のように角度Ｍ＝約５度とする場合であれば、角度Ｇ＝９０−５＝約８５度である。）をなす方向（一方側面部２３が存する側とは反対方向）に突出するように形成された下方部２５（幅Ｗ４）と、を有してなる。
前述の通り、下側部２１は、両主表面が略長方形のステンレス鋼の板材を、該長方形の辺（長辺）と平行な３本の折り曲げ線に沿って折り曲げることで一体に形成されている。詳細には、該長方形の一対の長辺間の距離（Ｗ２＋Ｗ１＋Ｗ３＋Ｗ４）である。該３本の折り曲げ線それぞれと該長方形の辺（長辺）との距離は、それぞれ距離Ｗ２、距離（Ｗ２＋Ｗ１）、距離（Ｗ２＋Ｗ１＋Ｗ３）である。該長方形の一対の長辺間の該３本の折り曲げ線に沿った折り曲げによって、一方側面部２３、上面部２２、他方側面部２４そして下方部２５が形成されている。
【００１８】
上側部５１は、ステンレス鋼の板材（両主表面が略長方形）を折り曲げることで一体に形成されており、長手方向Ｌに対して垂直な平面による断面形状はいずれの位置においても同様である（即ち、いずれの断面位置においても図４（ｂ）に示されるような断面形状を有する。）。具体的には、上側部５１は、下側部２１の上面部２２の上面２２ａと同じ幅Ｗ１で形成された下面板部５２と、下面板部５２の両縁のうち一縁から下面板部５２に対して所定の角度Ｍ（ここでは具体的にはＭ＝約５度）をなす方向に突出するように形成された斜面部５３（幅Ｗ６）と、斜面部５３が有する一縁（下面板部５２に連なる縁とは反対の縁）から斜面部５３に対して垂直方向に突出するように形成された溝底部５４（幅Ｗ７）と、溝底部５４が有する縁（斜面部５３に連なる縁とは反対の縁）から溝底部５４に対して垂直方向に突出するように形成された溝横部５５（幅Ｗ８。なお、溝横部５５及び斜面部５３は溝底部５４から見て同方向に突出している。）と、を有してなる。
前述の通り、上側部５１は、両主表面が略長方形のステンレス鋼の板材を、該長方形の辺（長辺）と平行な３本の折り曲げ線に沿って折り曲げることで一体に形成されている。詳細には、該長方形の一対の長辺間の距離（Ｗ１＋Ｗ６＋Ｗ７＋Ｗ８）である。該３本の折り曲げ線それぞれと該長方形の辺（長辺）との距離は、それぞれ距離Ｗ１、距離（Ｗ１＋Ｗ６）、距離（Ｗ１＋Ｗ６＋Ｗ７）である。該長方形の一対の長辺間の該３本の折り曲げ線に沿った折り曲げによって下面板部５２、斜面部５３、溝底部５４そして溝横部５５が形成されている。
そして、下面板部５２のうち斜面部５３が被さっていない部分（下面板部５２への斜面部５３の正投影が存在しない下面板部５２の部分）には、下側部２１と上側部５１とを固定する固定ネジ７１ａ、７１ｂ（図１参照）が貫入されるネジ穴５９ａ、５９ｂが穿設されている（図４（ａ）参照）。なお、固定ネジ７１ａ、７１ｂがねじ込まれる下側部２１の上面部２２には、固定ネジ７１ａ、７１ｂが嵌入されるネジ穴が予め穿設されていてもよいし、又は固定ネジ７１ａ、７１ｂをセルフタップねじとしてねじ込んでもよい。
【００１９】
図５は、本支持具１１を用いて太陽電池パネル１０１ａ、１０１ｂ、１０１ｃを支持した構造を示す図（太陽電池パネル１０１ａ、１０１ｂ、１０１ｃの受光面１０１ａｓ、１０１ｂｓ、１０１ｃｓと平行方向から見たところを示している。本支持具１１の厚みを実際よりも大きく図示している。）であり、図６は図５の点線Ｄにて囲まれた部分の一部拡大図であり、そして図７は図６の矢印Ｅ方向から見たところを示す平面図である。図５乃至図７を参照して、本支持具１１を用いた太陽電池パネル１０１ａ、１０１ｂ、１０１ｃの支持構造について説明する。
コンクリートで平らに形成された設置面２０１（ここでは略水平）に、角棒形状の支持ブロック３０１、３０２、３０３が配設されている。支持ブロック３０１、３０２、３０３は、互いに平行かつ等間隔に設置面２０１に接着によって固定されている。なお、支持ブロック３０１、３０２、３０３の間隔は、太陽電池パネル１０１ａ、１０１ｂ、１０１ｃが、支持ブロック３０１、３０２、３０３に取り付けられた本支持具１１によってうまく支持されるように調節されている。また、支持ブロック３０１、３０２、３０３いずれも、それが形成する畝に対して垂直な平面による断面形状（図５及び図６は該断面を示している）が長方形である。
支持ブロック３０１、３０２、３０３それぞれには下側部２１が取り付けられている。詳細には、下側部２１の上面部２２の内面が支持ブロック３０１、３０２、３０３の上面に僅かな間隔をあけて面するか又は当接すると共に、一方側面部２３と他方側面部２４との間に支持ブロック３０１、３０２、３０３が挟持されている（支持ブロック３０１、３０２、３０３の一対の側面のうち一方の側面が一方側面部２３の内面に当接すると共に他方の側面が他方側面部２４の内面に当接している。）。
そして、支持ブロック３０２、３０３に取り付けられた下側部２１には、上側部５１が取り付けられている（即ち、支持ブロック３０２、３０３には本支持具１１が取り付けられている。）。この下側部２１と上側部５１とは、前述のように固定ネジ７１ａ、７１ｂにより互いに固定されている。
【００２０】
太陽電池パネル１０１ａ、１０１ｂ、１０１ｃはいずれも同じものを用いており、表面（受光面１０１ａｓ、１０１ｂｓ、１０１ｃｓが存する面）と裏面とのいずれも長方形をなしている。そして、ここでは受光面１０１ａｓ、１０１ｂｓ、１０１ｃｓが互いに略平行になるよう太陽電池パネル１０１ａ、１０１ｂ、１０１ｃは支持されている。また、受光面１０１ａｓ、１０１ｂｓ、１０１ｃｓは設置面２０１に対して前記の角度Ｍの傾斜で設置されている。
太陽電池パネル１０１ａの表面がなす長方形が有する互いに平行な一対の辺のうち下側に位置する辺に沿った下縁は、支持ブロック３０１に取り付けられた下側部２１の下方部２５によって下方から支持されている。そして、太陽電池パネル１０１ａの表面がなす長方形が有する互いに平行な該一対の辺のうち上側に位置する辺に沿った上縁は、支持ブロック３０２に取り付けられた本支持具１１（上側部５１）の溝５７（斜面部５３と溝底部５４と溝横部５５とによって形成される）に嵌入されることで支持されている。これにより太陽電池パネル１０１ａは支持ブロック３０１、３０２に跨るように配置され固定されている。
太陽電池パネル１０１ｂの表面がなす長方形が有する互いに平行な一対の辺のうち下側に位置する辺に沿った下縁は、支持ブロック３０２に取り付けられた本支持具１１（下側部２１）の下方部２５によって下方から支持されている。そして、太陽電池パネル１０１ｂの表面がなす長方形が有する互いに平行な該一対の辺のうち上側に位置する辺に沿った上縁は、支持ブロック３０３に取り付けられた本支持具１１（上側部５１）の溝５７（斜面部５３と溝底部５４と溝横部５５とによって形成される）に嵌入されることで支持されている。これにより太陽電池パネル１０１ｂは支持ブロック３０２、３０３に跨るように配置され固定されている。
太陽電池パネル１０１ｃも太陽電池パネル１０１ｂと同様に配置され固定されている。
【００２１】
かかる図５乃至図７に示された、本支持具１１を用いた太陽電池パネル１０１ａ、１０１ｂ、１０１ｃの支持構造を形成する方法を簡単に説明しておく。予めコンクリートにより設置面２０１が形成されているものとする。
第１に、図８に示すように、支持ブロック３０１、３０２、３０３を設置面２０１に配置し固定（例えば、接着）する（図８には、支持ブロック３０３は図示していない）。そして、図８に示す通り、支持ブロック３０１、３０２、３０３それぞれに下側部２１を取り付ける（一方側面部２３と他方側面部２４との間に支持ブロック３０１、３０２、３０３を挟持する。）。
第２に、太陽電池パネル１０１ａの下縁を支持ブロック３０１に取り付けられた下側部２１の下方部２５によって下方から支持させ、次いで、図９に示すように、太陽電池パネル１０１ａの上縁を上側部５１の溝５７に嵌入し、そして上側部５１の下側部２１（支持ブロック３０２に取り付けられたもの）に対する位置を調整する。
第３に、上側部５１の下側部２１に対する位置調整後、図９に示すように固定ネジ７１ａ、７１ｂをねじ込むことで下側部２１と上側部５１とを固定する。これにより太陽電池パネル１０１ａが支持固定される。
第４に、図１０に示すように、太陽電池パネル１０１ｂの下縁を、支持ブロック３０２に取り付けられた本支持具１１（下側部２１）の下方部２５によって下方から支持させる。その後、太陽電池パネル１０１ａについて説明したのと同様に、太陽電池パネル１０１ｂの上縁を上側部５１の溝５７に嵌入し、そして上側部５１の下側部２１（支持ブロック３０３に取り付けられたもの）に対する位置を調整した後、固定ネジ７１ａ、７１ｂをねじ込むことで下側部２１と上側部５１とを固定する。これにより太陽電池パネル１０１ｂが支持固定される。以下同様、太陽電池パネル１０１ｃも配置され固定できる。
【００２２】
以上説明の通り、本支持具１１は、取付面（ここでは設置面２０１）に互いに間隔を空けて配設される複数の畝状の支持物（ここでは互いに略平行かつ等間隔に配設された支持ブロック３０２、３０３、・・・）に取り付けられ、支持物（支持ブロック３０２、３０３）の畝によって区画される一方側（例えば、図６においては矢印Ｑ１側）と他方側（例えば、図６においては矢印Ｑ２側）とに配設される太陽電池パネル１０１ａ、１０１ｂの縁部を支持する支持具であって、支持物（支持ブロック３０２、３０３）に取り付けられる基礎部（ここでは上面部２２と一方側面部２３と他方側面部２４とを含んでなる）と、一方側（図６中では矢印Ｑ１側）に配設される太陽電池パネル（図６中では１０１ａ）である一方側太陽電池パネル（図６中では１０１ａ）の縁部を支持する一方側支持部（ここでは斜面部５３と溝底部５４と溝横部５５とによって形成される溝５７）と、他方側（図６中では矢印Ｑ２側）に配設される太陽電池パネル（図６中では１０１ｂ）である他方側太陽電池パネル（図６中では１０１ｂ）の縁部を、一方側支持部（溝５７）が支持する一方側太陽電池パネル（図６中では１０１ａ）の縁部よりも取付面（設置面２０１）に近い位置で支持する他方側支持部（ここでは下方部２５）と、を備えてなる、支持具である。
【００２３】
本支持具１１においては、基礎部（上面部２２と一方側面部２３と他方側面部２４とを含んでなる）が、支持物（支持ブロック３０２、３０３）の他方側（図６中では矢印Ｑ２側）に面する他方側部（ここでは他方側面部２４）を有し、他方側支持部（下方部２５）が、他方側部（他方側面部２４）の取付面（設置面２０１）側の端部に設けられ、他方側太陽電池パネル（図６中では１０１ｂ）の取付面（設置面２０１）側の外面（ここでは下面）に当接し支持するものである。
本支持具１１においては、一方側支持部（溝５７）が、一方側太陽電池パネル（図６中では１０１ａ）の縁部が係合可能な、取付面（設置面２０１）に対して支持物（支持ブロック３０２、３０３）よりも遠方に形成された溝部（溝５７）を有するものである。
【００２４】
本支持具１１においては、一方側支持部（溝５７）を有する第１部材（ここでは上側部５１）と、基礎部（上面部２２と一方側面部２３と他方側面部２４とを含んでなる）と他方側支持部（下方部２５）とを有する第２部材（下側部２１）と、を別体として備えるものである。このように第１部材（上側部５１）と第２部材（下側部２１）とが別体であることにより、太陽電池パネル１０１ａの下縁を支持するのみで足りる場合には、第１部材（上側部５１）を要することなく第２部材（下側部２１）のみで足りるので、用いる支持具のコスト低減や作業の簡易化に資する。
本支持具１１においては、基礎部（上面部２２と一方側面部２３と他方側面部２４とを含んでなる）が、支持物（支持ブロック３０２、３０３）の一方側（図６中では矢印Ｑ１側）に面する一方側部（ここでは一方側面部２３）と、支持物（支持ブロック３０２、３０３）の他方側（図６中では矢印Ｑ２側）に面する他方側部（他方側面部２４）と、を有し、第２部材（下側部２１）が、一枚の板状部材が折り曲げられることで、一方側部（一方側面部２３）と他方側部（他方側面部２４）と他方側支持部（下方部２５）とが形成されるものである。
本支持具１１においては、第２部材（下側部２１）は、一方側部（一方側面部２３）と他方側部（他方側面部２４）とが互いに略平行に形成され、一方側部（一方側面部２３）と他方側部（他方側面部２４）とを連結し一方側部（一方側面部２３）と他方側部（他方側面部２４）とに略垂直に形成される連結部（ここでは上面部２２）を有するものである。
本支持具１１においては、一方側支持部（溝５７）が、一方側太陽電池パネル（図６中では１０１ａ）の縁部が係合可能な、取付面（設置面２０１）に対して支持物（支持ブロック３０２）よりも遠方に形成された溝部（溝５７）を有するものであり、第１部材（上側部５１）が、一枚の板状部材が折り曲げられることで該溝部（溝５７）が形成されるものである。
本支持具１１においては、第１部材（上側部５１）は、一方側太陽電池パネル（図６中では１０１ａ）の取付面（設置面２０１）側の外面（ここでは下面）に当接する一方側太陽電池パネル裏面当接部（ここでは斜面部５３）が前記溝部（溝５７）に連なるように形成されるものである。
本支持具１１においては、第１部材（上側部５１）と、第２部材（下側部２１）と、を含んでなる、支持具の作成キットとして製造及び販売等がされてもよい。
【符号の説明】
【００２５】
１１                  本支持具
２１                  下側部
２２                  上面部
２２ａ                上面
２３                  一方側面部
２４                  他方側面部
２５                  下方部
５１                  上側部
５２                  下面板部
５３                  斜面部
５４                  溝底部
５５                  溝横部
５７                  溝
５９ａ、５９ｂ        ネジ穴
７１ａ、７１ｂ        固定ネジ
１０１ａ、１０１ｂ、１０１ｃ  太陽電池パネル
１０１ａｓ、１０１ｂｓ、１０１ｃｓ  受光面
２０１                  設置面
３０１、３０２、３０３  支持ブロック
【図１】
0003180442.tif 000003
【図２】
0003180442.tif 000004
【図３】
0003180442.tif 000005
【図４】
0003180442.tif 000006
【図５】
0003180442.tif 000007
【図６】
0003180442.tif 000008
【図７】
0003180442.tif 000009
【図８】
0003180442.tif 000010
【図９】
0003180442.tif 000011
【図１０】
0003180442.tif 000012